(57)【要約】      （修正有）【課題】費用効率よく製造でき、部品数の少ない家具フラップの連結レバーを提供する。【解決手段】家具製品の家具本体に支持される家具部品を動かすための装置に用いる連結レバー１６であって、連結レバーは第１及び第２のエンボス部の形態をとるスペーサ部材を有し、第１のエンボス部は第１の連結レバーの第１の側面に存在し、第２のエンボス部は第１の連結レバーの第２の側面に存在し、第１の連結レバーの第１及び第２の側面は、互いの反対側に、かつ、互いから離間して存在し、第１及び第２のエンボス部は互いに反対側に存在し、第１のエンボス部は、中心部の周囲に、方位角方向及び／又は径方向において、第１の側面の残りの表面に対して隆起部と凹部とを有し、第２のエンボス部は、中心部の周囲に、方位角方向及び／又は径方向において、第２の側面の残りの表面に対して隆起部と凹部とを有する、という事実によって識別される連結レバー。【選択図】図４
2019218843.tif 000002
【特許請求の範囲】
【請求項１】
家具製品（１）の家具本体（２）に支持される家具部品（３）を動かすための装置（９）に用いる連結レバー（１６）であって、
前記連結レバー（１６）は、第１及び第２のエンボス部（２９，３２）の形態をとるスペーサ部材を備え、前記第１のエンボス部（２９）は前記第１の連結レバー（１６）の第１の側面（２１）に存在し、前記第２のエンボス部（３２）は前記第１の連結レバー（１６）の第２の側面（３３）に存在し、前記第１の連結レバー（１６）の前記第１及び第２の側面（２１，３３）は、反対側に、かつ、互いから離間して存在し、前記第１及び第２のエンボス部（２９，３２）は、反対側に存在し、前記第１のエンボス部（２９）は、中心部の周囲に、方位角方向及び／又は径方向において、隆起部（２２〜２４）と凹部（２５〜２７）とを第１の側面（２１）の残りの表面（２８）に対して備え、前記第２のエンボス部（３２）は、中心部の周囲に、方位角方向及び／又は径方向において、隆起部（３５）と凹部とを第２の側面（３３）の残りの表面（３４）に対して備える、連結レバー（１６）。
【請求項２】
前記第１及び／又は第２のエンボス部（２９，３２）は、複数の隆起部及び／又は複数の凹部を備え、前記複数の隆起部及び前記複数の凹部が交互に形成される、請求項１に記載の、家具製品（１）の家具本体（２）に支持される家具部品（３）を動かすための装置（９）に用いる連結レバー（１６）。
【請求項３】
前記連結レバー（１６）は、前記連結レバー（１６）の前記第１の側面（２１）から、反対側の、前記連結レバー（１６）の第２の側面（３３）まで延在する貫通開口（２０）の形態をとる取付手段を有し、前記第１及び／又は第２のエンボス部（２９，３２）は、前記開口（２０）の周囲に延在するように形成される、請求項１又は２に記載の、家具製品（１）の家具本体（２）に支持される家具部品（３）を動かすための装置（９）に用いる連結レバー（１６）。
【請求項４】
前記連結レバー（１６）は、互いに離間するように前記連結レバー（１６）上に形成された、２つ、３つ、又はそれ以上のスペーサ部材（１９，３１）を備える、請求項１〜３のいずれか１項に記載の、家具製品（１）の家具本体（２）に支持される家具部品（３）を動かすための装置（９）に用いる連結レバー（１６）。
【請求項５】
前記第１及び／又は前記第２のエンボス部（２９，３２）がベアリング面（３５）を備える、請求項１〜４のいずれか１項に記載の、家具製品（１）の家具本体（２）に支持される家具部品（３）を動かすための装置（９）に用いる連結レバー（１６）。
【請求項６】
前記第１のエンボス部（２９）の前記隆起部（２２〜２４）及び／又は前記第２のエンボス部（３２）の前記隆起部（３５）が前記ベアリング面を有する、請求項１〜５のいずれか１項に記載の、家具製品（１）の家具本体（２）に支持される家具部品（３）を動かすための装置（９）に用いる連結レバー（１６）。
【請求項７】
家具製品（１）の家具本体（２）に支持される家具部品（３）を動かすための装置（９）であって、
前記装置（９）はガイド手段（１３）を備え、
前記装置（９）が前記家具製品（１）に取り付けられた状態においては、前記家具部品（３）が、家具本体（２）に対する閉位置から家具本体（２）に対する開位置へと移動可能であり、前記ガイド手段（１３）によって前記閉位置へと戻ることが可能であり，前記閉位置では、前記家具部品（３）は、前記家具本体（２）の前面（４ｂ）へと移動された位置にあり、１つのガイド手段（１３）が第１の連結レバー（１６）として形成され、別のガイド手段が第２の連結レバー（１８）として形成され、前記第２の連結レバー（１８）は、少なくとも２つのレバーアーム（１７ａ，１７ｂ）を有してサンドイッチ状に形成され、その結果、前記第１の連結レバー（１６）は、前記第２の連結レバー（１８）の前記２つのレバーアーム（１７ａ，１７ｂ）の間で移動可能に支持され、前記第１及び前記第２の連結レバー（１６，１８）は、取付手段によって取付領域（１９）において互いに関節式に接続され、前記第１の連結レバー（１６）は、請求項１〜６のいずれか１項に記載の連結レバーとして形成され、前記第１の連結レバー（１６）の前記エンボス部（２９，３２）は、前記第２の連結レバー（１８）のレバーアーム（１７ａ，１７ｂ）間に配置される、
家具製品（１）の家具本体（２）に支持される家具部品（３）を動かすための装置（９）。
【請求項８】
前記装置（９）がリベット部材（３０）を備え、
前記リベット部材（３０）は、該リベット部材（３０）の第１端部の領域及び該リベット部材（３０）の第２端部の領域よりも大きな直径の円柱形状を中央領域（５９）において有する、請求項７のプリアンブル、具体的には請求項７に記載の、前記家具製品（１）の家具本体（２）に支持される家具部品（３）を動かすための装置（９）。
【請求項９】
前記リベット部材（３０）が中実リベットとして形成される、請求項８に記載の、家具製品（１）の家具本体（２）に支持される家具部品（３）を動かすための装置（９）。
【請求項１０】
前記リベット部材（３０）は、前記リベット部材（３０）が前記第１の連結レバー（１６）の前記開口（２０）に配置された状態においては前記開口（２０）を通って係着され、前記開口（２０）の領域に配置される中央領域（５９）を有するように存在し、
前記リベット部材（３０）は、前記第１端部（５８）が前記第１の連結レバー（１６）の前記第１の側面（２１，２８）を超えて延在し、前記第２端部（６０）が前記第１の連結レバー（１６）の前記第２の側面（３３，３４）を超えて延在し、前記リベット部材（３０）の前記中央領域（５９）は、前記リベット部材（３０）の円柱軸に沿って、前記第１の連結レバー（１６）の幅よりも長く、前記幅は、前記第１の連結レバー（１６）の前記第１の側面（２１）の前記残りの表面（２８）から、前記第１の連結レバー（１６）の前記第２の側面（３３）の前記残りの表面（３４）まで延び、その結果、前記中央領域（５９）の端面（６３，６４）が前記第２の連結レバー（１８）を受けるベアリング部材（６５，６６）を形成する、
請求項７〜９に記載の、前記家具製品（１）の家具本体（２）に支持される家具部品（３）を動かすための装置（９）。
【請求項１１】
前記リベット部材（３０）は、配置された状態においては、前記リベット部材（３０）の前記中央領域（５９）が前記リベット部材（３０）の円柱軸に沿って第１のエンボス部（２８）の隆起部のベアリング面（６８）から前記第２のエンボス部（３２）の隆起部のベアリング面（６７）まで延在するように存在する、請求項７〜１０に記載の、前記家具製品（１）の家具本体（２）に支持される家具部品（３）を動かすための装置（９）。
【請求項１２】
請求項１〜６のいずれか１項に記載の連結レバー（１６）、及び／又は、請求項７〜１１のいずれか１項に記載の装置（９）を有する家具製品（１）。
【発明の詳細な説明】
【発明の詳細な説明】
【０００１】
［先行技術］
家具製品の分野では、家具本体に対して家具部品を動かすことができるようにするための、家具用ヒンジやフラップ接続具等のガイド手段が知られている。
【０００２】
ガイド手段は、様々な要件を満たさなければならず、特に、家具本体の内部、又は、可動式家具部品の内部は、そこに物を収納したり、そこから物を取り出したりできるように、移動ガイド部材によってアクセス可能であるべきである。
【０００３】
公知のガイド手段の欠点は、比較的多数の部品によって構成されていることと、製造コストが比較的高いことである。
［発明の目的及び利点］
本発明の目的は、家具製品の家具本体に支持される家具部品を動かすための装置に用いる連結レバーを改良することであり、結果として、当該家具製品、具体的には当該装置が比較的費用効率よく製造でき、装置が比較的少ない個々の部品を有する。
【０００４】
この目的は、独立請求項に記載される発明によって達成される。
本発明の有利で適切な発展形態については、従属請求項に記載する。
本発明は、家具製品の家具本体に支持される家具部品を動かすための装置に用いる連結レバーに基づくものである。
【０００５】
本発明の本質は、以下に記載の事実に見て取れる。連結レバーは、第１及び第２のエンボス部の形態をとるスペーサ部材を備え、第１のエンボス部は第１の連結レバーの第１の側面に存在し、第２のエンボス部は第１の連結レバーの第２の側面に存在し、第１の連結レバーの第１及び第２の側面は、互いに反対側に、かつ、互いから離間して存在し、第１及び第２のエンボス部は、互いに反対側に存在し、第１のエンボス部は、中心部の周囲に、方位角方向及び／又は径方向において、第１の側面の残りの表面に対して隆起部及び凹部を備え、第２のエンボス部は、中心部の周囲に、具体的には中心点の周囲に、方位角方向及び／又は径方向において、第２の側面の残りの表面に対して隆起部及び凹部を備える。
【０００６】
エンボス部とは、例えば、連結レバーの表面領域の賦形部を意味すると理解され、好適には、当該表面領域の賦形部はエンボス加工方法によって形成される。エンボス部は、例えば、連結レバーの表面構造を形成する。例えば、第１及び第２のエンボス部は、エンボス加工方法によって、特に単一のエンボス加工方法によって、例えば、特に単一のエンボス加工工程によって、製造されてもよい。例えば、第１のエンボス部はエンボスパンチの形状によって予め定められ、第２のエンボス部はエンボスダイの形状によって予め定められる。また、第１のエンボス部及び第２のエンボス部が、エンボスパンチ又はエンボスダイの形状によってのみ製造されることも想定され、この場合、好適には、第１のエンボス部は第１の製造工程にて製造され、第２のエンボス部が別の製造工程にて製造される。連結レバーは、好適には、エンボス部と一体的に存在する。
【０００７】
好ましくは、装置は、ヒンジ又は接続具、具体的には、上部フラップ接続具の形態をとる。
また、第１及び／又は第２のエンボス部が複数の隆起部及び／又は複数の凹部を備えると有利であること、ならびに、これら複数の隆起部及び複数の凹部が交互に形成されると有利であることが証明されている。エンボス部は、例えば、波状に存在する。隆起部及び／又は凹部は、例えば、環状又は波状に設計される。具体的には、複数の環状又は波状の隆起部と、複数の環状又は波状の凹部とが、同心状に存在し、具体的には、中心点を中心として同心状に存在する。
【０００８】
また、エンボス部は、星型、放射状(sonnenstrahlenartig) 、及び／又は羽根車様(fl uegelradartig) に存在していてもよい。複数の隆起部及び複数の凹部は、例えば、円弧状又は扇形状に存在する。好適には、複数の円弧状又は扇形状の隆起部及び／又は複数の円弧状又は扇形状の凹部は同心状に配置され、例えば、中心点を中心として同心状に存在する。
【０００９】
好適には、第１及び第２のエンボス部の複数の隆起部及び複数の凹部は、共通の中心点を中心として同心状に延在するように設計される。
さらに、好適には、連結レバーは、連結レバーの第１の側面から、反対側の、連結レバーの第２の側面まで延在する貫通開口の形態をとる取付手段を備え、第１及び／又は第２のエンボス部は、開口の周囲、具体的には、連結レバーの表面領域において開口の周囲に延在するように設計される。取付手段は、連結レバーが、例えば枢動可能に、別の要素に接続され得る、例えば、孔及び／又はボルトとして存在する。好ましくは、連結レバーの第１及び第２のエンボス部は、連結レバー上の取付手段の周囲の領域に存在する。好適には、第１及び第２のエンボス部は、取付手段、具体的には開口の周囲に、円状に延在するように存在する。開口は、例えば、円柱状に設計される。第１及び／又は第２のエンボス部は、例えば、連結レバーの表面上において、円形又は環状の領域、具体的には表面領域を占める。
【００１０】
さらに、連結レバーが、互いに離間するように連結レバー上に形成された２つ、３つ、又はそれ以上のスペーサ部材を備えることが提案される。好適には、連結レバーは、厳密に１つのスペーサ部材、厳密に２つのスペーサ部材、又は厳密に３つのスペーサ部材を備える。例えば、厳密に２つの、又は厳密に３つの開口が連結レバー上に存在する。好適には、いずれの場合にも第１のエンボス部が、そして、いずれの場合にも第２のエンボス部が、開口の周囲に延在する。
【００１１】
連結レバーの有利な実施形態の１つでは、第１及び／又は前記第２のエンボス部はベアリング面を備える。
好適には、ベアリング面は、装置の別の要素、例えば別の連結レバーが、特に、ベアリング面に対して平らに当接して配置され得るように形成される。好適には、第１及び／又は第２のエンボス部は、特に別の要素の平坦ベアリングのために、複数の、具体的には３つのベアリング面を備え、結果として、第１及び／又は第２のエンボス部は、例えば、当該別の要素のための三点軸受支持部を形成する。
【００１２】
また、好適には、第１のエンボス部の隆起部及び／又は第２のエンボス部の隆起部は、ベアリング面を備え、具体的には、ベアリング面を形成する。
また、家具製品の家具本体に支持される家具部品を動かすための装置が提案され、該装置はガイド手段を備え、該装置が家具製品に取り付けられた状態においては、家具部品は、家具本体に対する閉位置から家具本体に対する開位置へと移動可能であり、ガイド手段によって閉位置へ戻ることが可能であり、閉位置においては、家具部品は家具本体の前面へと移動された位置にあり、１つのガイド手段が第１の連結レバーとして形成され、別のガイド手段が第２の連結レバーとして形成され、第２の連結レバーは少なくとも２つのレバーアームを有してサンドイッチ状に形成され、結果として、第１の連結レバーは、第２の連結レバーの２つのレバーアームの間で移動可能に支持され、第１及び第２の連結レバーは、取付領域において、取付手段によって互いに関節状に接続され、第１の連結レバーは、上述の設計の１つに基づく連結レバーとして形成され、第１の連結レバーのエンボス部、具体的には第１及び第２のエンボス部は、第２の連結レバーのレバーアームの間に配置される。結果として、装置の取り付けが簡素化される。
【００１３】
好適には、第１の連結レバーは取付領域にエンボス部を有し、結果として、第２の連結レバー上に配置された状態において、第１の連結レバーの第１の側面の残りの表面及び／又は第１の連結レバーの第２の側面の残りの表面は、第１及び／又は第２のエンボス部によって、第２の連結レバーの側面から、具体的には第２の連結レバーのレバーアームの側面から、離間して存在する。好ましくは、第２の連結レバーのレバーアームは、第１の連結レバーのエンボス部のベアリング面に当接する。好適には、エンボス部は、スペーサディスク又はスペーサ要素の機能を有する。
【００１４】
第１及び第２の連結レバーは、具体的には枢動可能に、互いに接続される。好適には、第１及び第２の連結レバーは、枢動軸を中心に、互いに対して移動可能である。好ましくは、第１のエンボス部の隆起部は、枢動軸に沿って、第２のエンボス部の凹部の反対側の位置に存在する。
【００１５】
さらに、好適には、装置はリベット部材を備え、リベット部材は、リベット部材の第１端部の領域の直径及び、リベット部材の第２端部の領域の直径よりも大きな直径を中央領域において有する円柱形状を有する。結果として、装置の取り付けが容易になる。
【００１６】
リベット部材の中央領域は、例えば、円柱状に設計される。リベット部材の第１端部及び第２端部は、例えば、円柱状に設計される。リベット部材の円柱状の第１端部の直径が、リベット部材の円柱状の第２端部の直径と少なくとも略同じであることも想定される。
【００１７】
例えば、リベット部材は、円柱状要素の端面同士が互いに支持し合って一体的に形成された３つの円柱要素で構成され、２つの円柱要素は第３の円柱要素よりも小さな直径を有する。好適には、第３の円柱要素は、リベット部材の中央領域を形成する。好ましくは、中央領域は第３の円柱要素の円柱軸に沿って延在し、具体的には、第３の円柱要素の全長にわたって延在する。好適には、ベアリング部材は、第３の円柱要素の端面の一部である。
【００１８】
また、リベット部材が中実リベットとして形成されていることが有利であると証明されている。リベット部材は、例えば、中実材料から形成され、好適には、キャビティを有さない。
【００１９】
さらに、リベット部材が装置に、具体的には第１の連結レバーの開口に配置された状態において、リベット部材が開口を通って係着され、リベット部材の中央領域が開口の領域に配置されるようにリベット部材が存在していることも提案されており、リベット部材の第１端部が第１の連結レバーの第１の側面を超えて延在し、リベット部材の第２端部が第１の連結レバーの第２の側面を超えて延在し、リベット部材の中央領域は、リベット部材の円柱軸に沿って第１の連結レバーの幅よりも長く、当該幅は、具体的には、少なくとも第１の連結レバーの第１の側面の残りの表面から第１の連結レバーの第２の側面の残りの表面まで延在し、結果として中央領域の端面が第２の連結レバー用のベアリング部材を形成する。例えば、第１の連結レバーの幅は、第１の連結レバーの第１のエンボス部のベアリング面から第１の連結レバーの第２のエンボス部のベアリング面まで延在する。
【００２０】
好適には、リベット部材の中央領域の長さは、第１の連結レバーの幅と略同一、具体的には、まったく同一であり、第１の連結レバーの幅は、第１の連結レバーの第１のエンボス部のベアリング面から第１の連結レバーの第２のエンボス部のベアリング面まで延在する。
【００２１】
好適には、リベット部材の中央領域は、リベット部材の残りの領域に対してずれるように、又は段差を有するように構成されている。
ベアリング部材は、例えば、ベアリング面として存在する。ベアリング部材は、例えば環状に、例えば円形のリング状の表面として設計される。
【００２２】
好適には、リベット部材は、配置された状態においては、リベット部材の中央領域がリベット部材の円柱軸に沿って第１のエンボス部の隆起部のベアリング面から第２のエンボス部の隆起部のベアリング面まで延在するように存在する。
【００２３】
好適には、リベット部材の中央領域は、第１のベアリング部材からリベット部材の別のベアリング部材まで延在し、好適には、第１のベアリング部材はリベット部材の第１端部の領域に存在し、第２のベアリング部材はリベット部材の第２端部の領域に存在する。
【００２４】
さらに、上述の変形例のいずれかによる連結レバーを有する家具製品、及び／又は、上述の実施形態のいずれかによる装置を有する家具製品が提案される。
本発明の更なる特徴及び利点は、以下の図面に概略的に示す実施例を参照して、より詳細に説明される。
【図面の簡単な説明】
【００２５】
【図１】開状態にある、家具部品を動かすための本発明による装置を有する本発明による家具製品の斜視図を示す。
【図２】図１において円で囲った領域Ａの拡大図を示す。
【図３】装置のガイド手段の側面図を示す。
【図４】図３のガイド手段の側面図を、ガイド部材の一部を透視した状態で示す。
【図５】図４のガイド手段の詳細Ｂを示す。
【図６】本発明による連結レバーの平面図を示す。
【図７】図６の連結レバーの詳細Ｃの詳細図を示す。
【図８】図６の連結レバーの側面図を示す。
【図９】別の連結レバーの斜視図を示す。
【図１０】別の設計の連結レバーを有するガイド手段の側面図を、連結レバーの一部を透視した状態で示す。
【図１１】図１０のガイド手段の連結レバーの詳細図Ｄを示す。
【図１２】図１０及び図１１のガイド手段の連結レバーの側面図を示す。
【図１３】図１２の連結レバーの平面図を示す。
【図１４】図１３の連結レバーの詳細図Ｅを示す。
【図１５】別の設計のガイド手段の平面図を示す。
【図１６】図１５のガイド手段の断面図を示す。
【図１７】図１６の断面の詳細図Ｆを示す。
【発明を実施するための形態】
【００２６】
図１は、箱型の家具本体２と、家具本体２に支持され、パネル状の上部フラップ３の形態をとる家具部品と、を備える本発明による家具製品、つまりウォールユニット１の斜視図を示し、図面において、上部フラップ３は家具本体２に対して開位置にて示されている。
【００２７】
家具本体２は対向する２つの直立側壁４及び５を備え、直立側壁４及び５は、下側において底部６に接続され、上側において上部７に接続される。家具本体２は、後壁８によって後側が閉鎖されている。
【００２８】
図１に示す開位置から家具本体２の前面へ移動される閉位置（図示せず）へと、家具本体２に対して水平枢動軸を中心に上部フラップ３を動かすために、上部フラップ接続具９として構成される、本発明による移動装置が存在する。上部フラップ接続具９は、側壁４に第１接続具ユニット１０を備え、側壁５に第２接続具ユニット１１を備える。これら接続具ユニットは、同一に構成されているが、機能的には、各側壁４，５上において横並びで関連し合って、正確な配置を行うためのものである。
【００２９】
接続具ユニット１０及び１１は、それぞれ、ベースユニット１２と、複数の連結レバーを有するガイド手段１３と、取付プレート１５ａ，１５ｂの形態をとる取付ユニットとを備える。枢動アーム構成１４の枢動部又はレバーアームとして存在する、関節式に連結される複数の連結レバーは、取付プレート１５ａ，１５ｂに対してベースユニット１２を接続するように機能し、取付プレート１５ａ，１５ｂは、上部フラップ３の内側に確実に、例えば材料の凹部に入り込むように、固定されている。
【００３０】
図３及び図４は、第１の設計変形例における、ガイド手段１３ａの側面図を示す。図４は、ガイド手段１３の部品を一部透視図で示したものである。
図５は、ガイド手段１３ａの詳細図Ｂを示し、サンドイッチ状に形成された、連結レバー１６及び別の連結レバー１８のレバーアーム１７を示す。連結レバー１８は、２つのレバーアーム１７ａ，１７ｂを備える。連結レバー１６は、単一のレバーアームを備え、配置された状態では、連結レバー１８のレバーアーム１７ａ，１７ｂの間に存在する。開口２０の形態をとる取付手段は、連結レバー１６上において取付領域１９に形成される。連結レバー１６の第１の側面２１上の開口２０の周囲において径方向に延在しているのは、隆起部２２〜２４及び凹部２５〜２７の形態をとる第１のエンボス部２９である。好適には、隆起部２２〜２４及び凹部２５〜２７は、円弧状に存在する。好適には、隆起部２２〜２４及び凹部２５〜２７は、仮想平面で見ると、第１の側面２１の残りの表面２８に対してずれるように設計される。さらに、開口２０内にはリベット部材３０が示されている。好適には、連結レバー１６は、２つの取付領域１９，３１を備える。
【００３１】
連結レバー１６の詳細図Ｃ（図７）には、第１のエンボス部２９及び第２のエンボス部３２が示されている。エンボス部３２は、第１のエンボス部２９とは反対側の、第２の側面３３上の取付領域１９に位置し、第２のエンボス部３２の一部は、連結レバー１６の第２の側面３３の残りの表面３４に対して凸状又は凹状に設計される。好適には、第１のエンボス部２９の凹部２６は、第２のエンボス部３２の隆起部３５の反対側に位置するように設計される。好適には、連結レバー１６の厚さ、つまり幅ｄは、連結レバー１６の第２の側面３３の残りの表面３４から、第１の側面２１の残りの表面２８までの間隔によって形成される。好適には、第１のエンボス部２９の凹部２６の表面４２から、第２のエンボス部３２の隆起部３５の表面４１までの間隔、又はその逆の間隔は、連結レバー１６の幅ｄと等しい。
【００３２】
図９は、ガイド手段１３ａの別の連結レバー３７のレバーアーム３６を示す。好適には、レバーアーム３６は、３つの取付領域３８〜４０を備える。特に単一のレバーアームを有する連結レバー１８，３７は、好適には、ガイド手段１３ａ上に配置された状態においては、ある平面上において隣り合って配置される（図４参照）。
【００３３】
図１０〜１４は、エンボス部の更なる変形例を有するガイド手段１３ｂを示しており、２つの取付領域４４，４５を有する連結レバー４３が示されている。取付領域４４，４５のエンボス部５０，５１は、円形の隆起部４７，４９及び凹部４６，４８を備える。取付領域４４，４５の開口５２，５３を中心に径方向で見ると、エンボス部５０，５１の隆起部及び凹部は、交互に延在するように設計される。好適には、取付領域４４は２つのエンボス部５０，５４を備え、連結レバー４３の第１の側面５５上に設けられた第１のエンボス部５０と、連結レバー４３の第２の側面５６上に設けられた第２のエンボス部５４とが、互いの反対側に配置される。図１０〜１４の変形例では、第１のエンボス部５０の隆起部４９は、取付領域４４の第２のエンボス部５４の隆起部５７とは異なる円形領域を有する。例えば、第２のエンボス部５４の隆起部５７の外径Ｄ１は、第１のエンボス部５０の隆起部４９の内径と同一である。第１のエンボス部５０の隆起部４９の外径Ｄ２は、例えば、第２のエンボス部５４の隆起部５７の外径Ｄ１よりも大きい。例えば、逆に、同じことが、エンボス部５０，５４の凹部にも当てはまる。
【００３４】
ガイド手段１３ａの取付領域１９における断面図が図１７に示されている。連結レバー１６と、連結レバー１８のレバーアーム１７ａ，１７ｂと、リベット部材３０とが示されている。リベット部材３０は、互いに一体的に形成された３つの円柱要素５８〜６０からなる。リベット部材３０の中央要素５９は、２つの外側要素５８，６０よりも大きな外径を有する。好適には、リベット部材３０は、中央要素５９によってリベット部材３０が連結レバー１６の開口２０に挿入可能であるように、好適には正確に適合するように、形成される。
【００３５】
好適には、中央要素５９の端面は、連結レバー１８のレバーアーム１７ａ，１７ｂの内面６５，６６を受けるベアリング面６３，６４を形成する。好適には、レバーアーム１７ａ，１７ｂは、配置された状態においては、中央要素５９のベアリング面６３，６４上に移動可能に取り付けられる。さらに、好ましくは、連結レバー１８のレバーアーム１７ａ，１７ｂの内面６５，６６は、配置された状態においては、連結レバー１６のエンボス部２９，３２の隆起部のベアリング面６７，６８上に移動可能に取り付けられる。好適には、連結レバー１６のエンボス部２９，３２の隆起部は、リベット部材３０のベアリング面６３，６４とともに、連結レバー１８のレバーアーム１７ａ，１７ｂの内面６５，６６を受けるベアリング平面又は支持平面を形成する。
【００３６】
好適には、外側要素５８，６０は、配置された状態において、レバーアーム１７ａ，１７ｂの外面６１，６２を越えて延在する。結果として、リベット部材３０の外側要素５８，６０は、例えば、搖動式リベット機（Ｔａｕｍｌｅｒｓ）を用いて搖動により成形されることができ、具体的には変形されることができる。その結果、搖動により成形又は変形された後に、リベット部材３０は、連結レバー１６，１８を相互に、具体的には移動可能かつ離脱不能に、連結する。
【００３７】
［参照符号の一覧］
１…ウォールユニット、２…家具本体、３…上部フラップ、４…側壁、５…側壁、６…底部、７…上部、８…後壁、９…上部フラップ接続具、１０…接続具ユニット、１１…接続具ユニット、１２…ベースユニット、１３…ガイド手段、１３ａ，１３ｂ…ガイド手段、１４…枢動アーム構成、１５ａ，１５ｂ…取付プレート、１６…連結レバー、１７ａ，１７ｂ…レバーアーム、１８…連結レバー、１９…取付領域、２０…開口、２１…側面、２２〜２４…隆起部、２５〜２７…凹部、２８…表面、２９…エンボス部、３０…リベット部材、３１…取付領域、３３…側面、３２…エンボス部、３４…表面、３５…隆起部、３６…レバーアーム、３７…連結レバー、３８〜４０…取付領域、４１…表面、４２…表面、４３…連結レバー、４４，４５…取付領域、４６，４８…凹部、４７，４９…隆起部、５０，５１…エンボス部、５２，５３…開口、５４…エンボス部、５５，５６…側面、５７…隆起部、５８〜６０…要素、６１，６２…表面、６３，６４…ベアリング面、６５，６６…表面、６７，６８…ベアリング面。
【図１】
2019218843.tif 000003
【図２】
2019218843.tif 000004
【図３】
2019218843.tif 000005
【図４】
2019218843.tif 000006
【図５】
2019218843.tif 000007
【図６】
2019218843.tif 000008
【図７】
2019218843.tif 000009
【図８】
2019218843.tif 000010
【図９】
2019218843.tif 000011
【図１０】
2019218843.tif 000012
【図１１】
2019218843.tif 000013
【図１２】
2019218843.tif 000014
【図１３】
2019218843.tif 000015
【図１４】
2019218843.tif 000016
【図１５】
2019218843.tif 000017
【図１６】
2019218843.tif 000018
【図１７】
2019218843.tif 000019
【外国語明細書】
2019218843000001.pdf